(57)【特許請求の範囲】
【請求項１】
アルミニウム製又はアルミニウム合金製の熱交換器（２５）であって、側面が対向するように配列された複数の扁平管（２）と、前記各扁平管が接続されたヘッダ集合管（６）と、前記扁平管に接合された複数のフィン（４）とを有し、前記扁平管の内部を流れる流体が前記扁平管の外部を流れる空気と熱交換する熱交換器（２５）と、
前記熱交換器を載置する底フレーム（８）と、
前記ヘッダ集合管の下端部（６ａ）を下から覆うキャップ（１４）と、
を備え、
前記キャップが、前記ヘッダ集合管と前記キャップとの隙間から入った水を外部に排出する第１排水構造（１７）を有し、
前記第１排水構造は開口であり、その開口の底面（１７ａ）は、前記ヘッダ集合管下端（６ｂ）より下に設けられており、かつ、前記底面は、内側から外側に向かって下方に傾斜している、
冷凍装置の室外ユニット。
【請求項２】
前記キャップは底面部（１５）と側面部（１６）から構成され、前記第１排水構造は前記側面部に設けられている、
請求項１に記載の室外ユニット。
【請求項３】
アルミニウム製又はアルミニウム合金製の熱交換器（２５）であって、側面が対向するように配列された複数の扁平管（２）と、前記各扁平管が接続されたヘッダ集合管（６）と、前記扁平管に接合された複数のフィン（４）とを有し、前記扁平管の内部を流れる流体が前記扁平管の外部を流れる空気と熱交換する熱交換器（２５）と、
前記熱交換器を載置する底フレーム（８）と、
前記ヘッダ集合管の下端部（６ａ）を下から覆うキャップ（１４）と、
を備え、
前記キャップが、前記ヘッダ集合管と前記キャップとの隙間から入った水を外部に排出する第１排水構造（１７）を有し、
前記キャップは底面部（１５）と側面部（１６）から構成され、前記第１排水構造は前記側面部に設けられ、
前記底面部の前記底フレームと対向する面に、凸部（１５ａ）が設けられ、
前記凸部に第２排水構造（１８）が設けられている、
冷凍装置の室外ユニット。
【請求項４】
前記第１排水構造は開口であり、その開口の底面（１７ａ）は、前記ヘッダ集合管下端（６ｂ）より下に設けられており、かつ、前記底面は、内側から外側に向かって下方に傾斜している、
請求項３に記載の室外ユニット。
【請求項５】
前記キャップは、前記ヘッダ集合管との間に水の入る隙間がないように設計されている、
請求項１〜４の何れか１項に記載の室外ユニット。
【発明の詳細な説明】
【技術分野】
【０００１】
本発明は、冷凍装置の室外ユニットに関する。
【背景技術】
【０００２】
冷凍装置の室外ユニットにおいては、例えば特許文献１（特開２０１１−１４５０２９）のように、ヘッダ集合管下端にポリプロピレン製のキャップまたは籠形状の電食防止体を設ける構成が報告されている。
【発明の概要】
【発明が解決しようとする課題】
【０００３】
しかしながら、この構成では、ヘッダ集合管をつたってきた水がキャップに入り込んだり、底フレーム（ドレンパン）に水が溜まってきた場合、籠の網目状部分から水が浸入し、ヘッダ集合管に水が接触し、ヘッダ集合管の電食が発生する恐れがあった。
【０００４】
本発明の課題は、アルミニウム製又はアルミニウム合金製の熱交換器を用いる冷凍装置の室外ユニットにおいて、金属腐食の影響を受けにくい冷凍装置の室外ユニットを提供することにある。
【課題を解決するための手段】
【０００５】
本発明の第１観点に係る冷凍装置の室外ユニットは、熱交換器と底フレームとキャップとを備える。熱交換器は、アルミニウム製又はアルミニウム合金製である。熱交換器は、側面が対向するように配列された複数の扁平管と、各扁平管が接続されたヘッダ集合管と、扁平管に接合された複数のフィンとを有する。熱交換器では、扁平管の内部を流れる流体が扁平管の外部を流れる空気と熱交換する。底フレームは、熱交換器を載置する。キャップは、ヘッダ集合管の下端部を下から覆う。キャップは、ヘッダ集合管とキャップとの隙間から入った水を外部に排出する第１排水構造を有している。
【０００６】
ここでは、ヘッダ集合管の下端にキャップを被せると共に、キャップに水排出用の開口部を設けることにより、ヘッダ集合管とキャップとの隙間から入った熱交換器の結露水を外部に排出でき、熱交換器の腐食、冷媒漏れを防止できる。
【０００７】
上記排水構造としては、開口、切り欠き、溝等が挙げられる。
【０００８】
熱交換器の結露水には、凝集水、雨水などが含まれる。
【０００９】
キャップの素材としては、ヘッダ集合管を安定に載置でき、耐水性、防振性を有する観点から、ゴム（ラバー）が好ましく、天然ゴム、クロロプレンゴム、ニトリルゴム、ブチルゴム、エチレンプロピレンゴム、スチレン・ブタジエンゴム、シリコーンゴム、フッ素ゴム、アフラス、水素化ニトリルゴム、ウレタンゴム等が使用できる。ゴムは、硬度５０程度の硬めのゴムが好ましい。
【００１０】
本発明の第２観点に係る冷凍装置の室外ユニットでは、第１観点に係る冷凍装置の室外ユニットにおいて、キャップは底面部と側面部から構成され、第１排水構造が側面部に設けられている。
【００１１】
ここでは、排水構造がキャップ側面に設けられているため、大きな排水構造とすることができ、ヘッダ集合管とキャップとの隙間から入った熱交換器の結露水をより効果的に外部に排出でき、熱交換器の腐食、冷媒漏れをより防止できる。
【００１２】
本発明の第３観点に係る冷凍装置の室外ユニットでは、第１観点または第２観点に係る冷凍装置の室外ユニットにおいて、第１排水構造は開口である。その開口の底面は、ヘッダ集合管下端より下に設けられている。さらに、開口の底面は、内側から外側に向かって下方に傾斜している。
【００１３】
ここでは、キャップの側面に開口を設け、開口の底面がヘッダ集合管下端より低く、開口の底面に傾斜があるため、キャップ内に入った結露水をより効果的にキャップの外に出し、底フレームへ導くことができ、熱交換器の腐食、冷媒漏れをより防止できる。
【００１４】
本発明の第４観点に係る冷凍装置の室外ユニットでは、第２観点または第３観点に係る冷凍装置の室外ユニットにおいて、底面部の底フレームと対向する面に、凸部が設けられている。
【００１５】
ここでは、キャップによりヘッダ集合管下端がかさ上げされているため、底フレームに結露水が溜まってもヘッダ集合管が水に浸ることを防止でき、熱交換器の腐食、冷媒漏れをより防止できる。また、底フレームに溜まった結露水が、キャップ内に流入してヘッダ集合管に接触することを防止できる。
【００１６】
本発明の第５観点に係る冷凍装置の室外ユニットでは、第４観点の冷凍装置の室外ユニットにおいて、凸部に第２排水構造が設けられている。
【００１７】
ここでは、キャップ内に入った結露水を、キャップの下部の排水構造から、底フレームへと導くことができるため、熱交換器の腐食、冷媒漏れを防止できる。
【００１８】
上記排水構造としては、開口、切り欠き、溝等が挙げられる。
【００１９】
本発明の第６観点に係る冷凍装置の室外ユニットは、第１観点から第５観点の何れかに係る冷凍装置の室外ユニットにおいて、キャップは、ヘッダ集合管との間に水の入る隙間がないように設計されている。
【００２０】
ここでは、底フレームに結露水が溜まってもヘッダ集合管の下端が水と接触しないため、熱交換器の腐食、冷媒漏れをより防止できる。
【発明の効果】
【００２１】
本発明の第１観点に係る冷凍装置の室外ユニットでは、ヘッダ集合管の下端にキャップを被せると共に、キャップに水排出用の開口部を設けることにより、ヘッダ集合管とキャップとの隙間から入った熱交換器の結露水を外部に排出でき、熱交換器の腐食、冷媒漏れを防止できる。
【００２２】
本発明の第２観点に係る冷凍装置の室外ユニットでは、排水構造がキャップ側面に設けられているため、大きな排水構造とすることができ、ヘッダ集合管とキャップとの隙間から入った熱交換器の結露水をより効果的に外部に排出でき、熱交換器の腐食、冷媒漏れをより防止できる。
【００２３】
本発明の第３観点に係る冷凍装置の室外ユニットでは、キャップの側面に開口を設け、開口の底面がヘッダ集合管下端より低く、開口の底面に傾斜があるため、キャップ内に入った結露水をより効果的にキャップの外に出し、底フレームへ導くことができ、熱交換器の腐食、冷媒漏れをより防止できる。
【００２４】
本発明の第４観点に係る冷凍装置の室外ユニットでは、キャップによりヘッダ集合管下端がかさ上げされているため、底フレームに結露水が溜まってもヘッダ集合管が水に浸ることを防止でき、熱交換器の腐食、冷媒漏れをより防止できる。また、底フレームに溜まった結露水が、キャップ内に流入してヘッダ集合管に接触することを防止できる。
【００２５】
本発明の第５観点に係る冷凍装置の室外ユニットでは、キャップ内に入った結露水を、キャップの下部の排水構造から、底フレームへと導くことができるため、熱交換器の腐食、冷媒漏れを防止できる。
【００２６】
本発明の第６観点に係る冷凍装置の室外ユニットでは、底フレームに結露水が溜まってもヘッダ集合管の下端が水と接触しないため、熱交換器の腐食、冷媒漏れをより防止できる。
【図面の簡単な説明】
【００２７】
【図１】本発明の一実施形態に係る冷凍装置の室外ユニットの概略斜視図である。
【図２】本発明の一実施形態に係る冷凍装置の室外ユニットの、天板、左側板、右前板及び右後板を取り除いた状態の概略斜視図である。
【図３】室外熱交換器の概略斜視図である。
【図４】本発明の一実施形態に係るキャップの正面図である。
【図５】本発明の一実施形態に係るキャップの平面図である。
【図６】図４のVI−VI断面図である。
【図７】図５のキャップにヘッダ集合管を載置した状態のVII−VII断面図である。
【図８】変形例Ｂのキャップの正面図である。
【図９】変形例Ｃのキャップの平面図である。
【図１０】変形例Ｃのキャップの正面図である。
【発明を実施するための形態】
【００２８】
以下、図面を参照しながら、本発明の実施形態について説明する。
【００２９】
本実施形態の冷凍装置の室外ユニットは、空気調和装置の室外ユニットとして利用される。
【００３０】
（１）室外ユニットの概略構成
本発明の一実施形態に係る空気調和装置の室外ユニットを、図１に示す。図１は、空気調和装置の室外ユニット２０を示す斜視図である。室外ユニット２０は、空気調和を行う空調対象空間（室内）の外部に設置されており、略直方体箱状のケーシング５０の内部が、鉛直に延びる仕切り板（図示せず）によって送風機室と機械室とに分割されている。この室外ユニット２０は、空調対象空間に配置される室内ユニット（図示せず）に冷媒連絡配管（図示せず）を介して接続されている。
【００３１】
室外ユニット２０は、主に、略箱状のケーシング５０と、室外ファン（図示せず）と、熱交換器、圧縮機、弁、配管などを含み冷媒回路を構成する冷媒回路構成部品（図示せず）と、運転制御を行う電装品ユニット（図示せず）とを備えている。
【００３２】
ケーシング５０には、前面５１の中央部および左部に位置する吹出口が形成されており、室外ファンにより送り出された空気が、吹出口から前方に吹き出される。
【００３３】
ケーシング５０は、天板５７、右後板５６、右前板５５に加えて、左側板５４、底フレーム８を有している。６０は、ケーシング５０の外側に取り付けられたファングリルである。
【００３４】
図２は、本発明の一実施形態に係る冷凍装置の室外ユニットの、天板、左側板、右前板及び右後板を取り除いた状態の概略斜視図である。底フレーム８上に、熱交換器２５が載置され、その前に室外ファン３５が配置されている。そして、仕切り板５８で区切られ、向かって左側が送風機室、右側が機械室である。
【００３５】
室外熱交換器２５は、室外空気との熱交換によって内部を流れる冷媒を凝縮又は蒸発させる。室外熱交換器２５は、全てがアルミニウム製又はアルミニウム合金製である。室外熱交換器２５は、ケーシング５０（図１参照）と直接接触することがないよう、ケーシング５０と適切なスペースを空けて、又は、樹脂部材等をケーシング５０と室外熱交換器２５との間に設置して、ケーシング５０内に配置される。
【００３６】
室外熱交換器２５は、図２のように、ケーシング５０の背面に沿って、仕切り板５８の端部付近から左方に延び、ケーシング５０の左後方角部付近でその方向を変え、左側板５４（図１参照）に沿って前方に延びる。
【００３７】
図３は、室外熱交換器２５の概略斜視図である。図３に示すように、室外熱交換器２５は、扁平管２、フィン４およびヘッダ集合管６１，６２を有する。なお、図３では、フィン４は省略して図示している。また、扁平管２の参照符号は一部を省略している。ヘッダ集合管６１，６２は、上下方向に複数段配列された扁平管２の両端に連結される。ヘッダ集合管６１，６２は、扁平管２を支持する機能と、冷媒を扁平管２の内部流路（不図示）に導く機能と、内部流路から出てきた冷媒を集合させる機能とを有している。ヘッダ集合管６１，６２の下端部６ａ，６ａは、それぞれ、後述のキャップ１４で下から覆われている（図７参照）。
【００３８】
（２）キャップ
図４〜６に、キャップ１４の正面図、平面図ならびに断面図を示す。また、図７に、キャップ１４にヘッダ集合管６を載置した状態の断面を示す。
【００３９】
キャップ１４はゴム部材であり、底面部１５と側面部１６とを有している。底面部１５は、円柱形である。円柱状の側面部１６は、底面部１５の上面視の円の円周の縁部分から鉛直方向に立ち上がり、これにより、ヘッダ集合管６の下端部６ａを差し込むための穴１９が形成されている。そして、ヘッダ集合管６の下端６ｂを、底面部１５の上面１５ｂに接するように挿入して、熱交換器２５をキャップ１４上に載置する。キャップ１４は、上に載置した熱交換器２５が振動しても外れないように、硬度５０程の硬めのゴムで形成されている。
【００４０】
キャップ１４は、側面部１６に排水開口１７を有している。上記ヘッダ集合管６をつたってキャップ１４との隙間に入った熱交換器２５の結露水は、排水開口１７から外部に排出される。排水開口１７の底面１７ａは、底面部１５の上面１５ｂより下に設けられている。このため、ヘッダ集合管６をつたってキャップ１４との隙間に入った熱交換器２５の結露水をより効果的に排水できる。さらに、底面１７ａは、内側から外側に向かって下方に傾斜しており、結露水の排水がさらに促進される。
【００４１】
底面部１５の底フレーム８と対向する面には、凸部１５ａが設けられている。このため、底フレーム８に水が溜まっても、水がヘッダ集合管６の下端部６ａが水に浸かる可能性が小さい。
【００４２】
（３）室外ユニットの特徴
（３−１）
本実施形態に係る空気調和装置１の室外ユニット２０は、熱交換器２５と底フレーム８とキャップ１４とを備える。熱交換器２５は、アルミニウム製又はアルミニウム合金製である。熱交換器２５は、側面が対向するように配列された複数の扁平管２と、各扁平管２が接続されたヘッダ集合管６と、扁平管２に接合された複数のフィン４とを有する。熱交換器２５では、扁平管２の内部を流れる流体が扁平管２の外部を流れる空気と熱交換する。底フレーム８は、熱交換器２５を載置する。キャップ１４は、ヘッダ集合管６の下端部６ａを下から覆う。キャップ１４は、ヘッダ集合管６とキャップ１４との隙間から入った水を外部に排出する排水開口１７を有している。
【００４３】
ここでは、ヘッダ集合管の下端にキャップを被せると共に、キャップに水排出用の開口部を設けることにより、ヘッダ集合管とキャップとの隙間から入った熱交換器の結露水を外部に排出でき、熱交換器の腐食、冷媒漏れを防止できる。
【００４４】
（３−２）
本実施形態に係る空気調和装置１の室外ユニット２０では、キャップ１４は底面部１５と側面部１６から構成され、排水開口１７が側面部１６に設けられている。
【００４５】
ここでは、排水開口がキャップ側面に設けられているため、大きな排水開口とすることができ、ヘッダ集合管とキャップとの隙間から入った熱交換器の結露水をより効果的に外部に排出でき、熱交換器の腐食、冷媒漏れをより防止できる。
【００４６】
（３−３）
本実施形態に係る空気調和装置１の室外ユニット２０では、排水開口１７の底面１７ａは、ヘッダ集合管下端６ｂより下に設けられている。さらに、底面１７ａは、内側から外側に向かって下方に傾斜している。
【００４７】
ここでは、キャップの側面に開口を設け、開口の底面がヘッダ集合管下端より低く、開口の底面に傾斜があるため、キャップ内に入った結露水をより効果的にキャップの外に出し、底フレームへ導くことができ、熱交換器の腐食、冷媒漏れをより防止できる。
【００４８】
（３−４）
本実施形態に係る空気調和装置１の室外ユニット２０では、底面部１５の底フレーム８と対向する面に、凸部１５ａが設けられている。
【００４９】
ここでは、キャップによりヘッダ集合管下端がかさ上げされているため、底フレームに結露水が溜まってもヘッダ集合管が水に浸ることを防止でき、熱交換器の腐食、冷媒漏れをより防止できる。また、底フレームに溜まった結露水が、キャップ内に流入してヘッダ集合管に接触することを防止できる。
【００５０】
（３−５）
本実施形態に係る空気調和装置１の室外ユニット２０は、キャップ１４は、ヘッダ集合管６との間に水の入る隙間がほとんどないように設計されている。
【００５１】
ここでは、底フレームに結露水が溜まってもヘッダ集合管の下端が水と接触しないため、熱交換器の腐食、冷媒漏れをより防止できる。
【００５２】
（４）変形例
以下に本実施形態の変形例を示す。なお、複数の変形例を適宜組み合わせてもよい。
【００５３】
（４−１）変形例Ａ
上記の実施形態に示された室外ユニット２０は、空気調和装置１に使用されるものであるが、それに限定されるものではなく、その他の冷凍装置に使用されるものであってもよい。
【００５４】
（４−２）変形例Ｂ
上記の実施形態に示された室外ユニット２０では、凸部１５ａに排水開口１８（図８参照）が設けられていてもよい。
【００５５】
（４−３）変形例Ｃ
上記の実施形態に示された室外ユニット２０のキャップ１４１では、底面部１５に排水開口１８（図９、図１０参照）が設けられていてもよい。図１０において、７１は粘着剤、７２は離形紙である。これらにより、下部から排水されやすい構造となっている。
【符号の説明】
【００５６】
２      扁平管
４      フィン
６，６１，６２  ヘッダ集合管
８      底フレーム
１４    キャップ
１７    排水開口
２０    室外ユニット
２５    室外熱交換器（熱交換器）
３５    室外ファン
５０    ケーシング
５１    前板
５４    左側板
５５    右前板
５６    右後板
５７    天板
５８    仕切り板
６０    ファングリル
【先行技術文献】
【特許文献】
【００５７】
【特許文献１】特開２０１１−１４５０２９
【図１】
0006024111.tif 000002
【図２】
0006024111.tif 000003
【図３】
0006024111.tif 000004
【図４】
0006024111.tif 000005
【図５】
0006024111.tif 000006
【図６】
0006024111.tif 000007
【図７】
0006024111.tif 000008
【図８】
0006024111.tif 000009
【図９】
0006024111.tif 000010
【図１０】
0006024111.tif 000011